(57)【要約】【課題】  全体のデータ量は変わらずに、転送中においても画像全体を確認することができ、全てのデータ転送が完了しなくても受信した分のデータで撮像内容の認識ができるカメラ画像転送方法を提供すること。【解決手段】  送信する画像データは、画素の解像ビットの桁毎にレイヤー構造Ｌ１〜Ｌ４を有するようにし、送信装置３は、各画素の最上位ビットで構成されたレイヤー構造Ｌ１〜Ｌ４の画像データから順に下位のレイヤー構造の画像データを送信部３３に送信するようにし、受信装置４は、受信部４１で受信した画像データを順次表示させることで、粗い画像から徐々に精細な画像が表示されるようにして、受信途中でも画像の内容を認識することができるようにした。【選択図】        図１
2008258824.tif 000002
【特許請求の範囲】
【請求項１】
カメラで撮像した画像を画像データとして送信し、受信した画像データを順次表示させて行くカメラ画像転送方法において、
送信する画像データは、画素の解像ビットの桁毎にレイヤー構造を有するようにし、
送信手段は、各画素の最上位ビットで構成されたレイヤー構造の画像データから順に下位のレイヤー構造の画像データを送信するようにし、
受信手段は、受信した画像データを順次表示させることで、粗い画像から徐々に精細な画像が表示されるようにして、受信途中でも画像の内容を認識することができるようにした、
ことを特徴とするカメラ画像転送方法。
【請求項２】
請求項１に記載のカメラ画像転送方法において、
送信する前記画像データの前記レイヤー構造は、
画像を複数分割の繰り返し構造となるインターレス方式にし、
受信手段が受信していない画像ビットデータ部分を既に受信した画像ビットデータ部分のコピーで埋めるようにして全体画像を常に表示する、
ことを特徴とするカメラ画像転送方法。
【請求項３】
請求項２に記載のカメラ画像転送方法において、
前記受信手段が既に受信した桁の画像ビットデータ部分を、同じ桁の受信していない画像ビットデータ部分にコピーし、
前記受信手段が既に受信した桁の画像ビットデータ部分を、同じ桁の受信していない画像ビットデータ部分にコピーする際に、上位ビットのデータがある場合は、上位ビットのデータとの論理和演算結果で、埋めるようにして全体画像を常に表示する、
ことを特徴とするカメラ画像転送方法。
【発明の詳細な説明】
【技術分野】
【０００１】
本発明は、低速無線通信環境下におけるカメラ画像転送方法の技術分野に属する。
【背景技術】
【０００２】
従来では、ビットマップデータの並び順を定義する情報を表示装置におくることにより、タイトル画像を効率よく表示させている（例えば、特許文献１参照。）。
【特許文献１】特開２００５−１４１５９６号公報（第２−２５頁、全図）
【発明の開示】
【発明が解決しようとする課題】
【０００３】
しかしながら、従来では、ビットマップ画像データのデータ構造は、画素データが端から順番に並べられているため、非常に低速無線通信環境において転送した画像をリアルタイムに表示する場合には、例えば上から下方向に徐々に画像が完成していくような表示になってしまうものであった。そのため、カメラで撮像したものを確認しようとした場合、ほぼ全てのデータを受信し画像を完成させなければ認識できないため、時間がかかってしまうものであった。
【０００４】
本発明は、上記問題点に着目してなされたもので、その目的とするところは、全体のデータ量は変わらずに、転送中においても画像全体を確認することができ、全てのデータ転送が完了しなくても受信した分のデータで撮像内容の認識ができるカメラ画像転送方法を提供することにある。
【課題を解決するための手段】
【０００５】
上記目的を達成するため、本発明では、カメラで撮像した画像を画像データとして送信し、受信した画像データを順次表示させて行くカメラ画像転送方法において、送信する画像データは、画素の解像ビットの桁毎にレイヤー構造を有するようにし、送信手段は、各画素の最上位ビットで構成されたレイヤー構造の画像データから順に下位のレイヤー構造の画像データを送信するようにし、受信手段は、受信した画像データを順次表示させることで、粗い画像から徐々に精細な画像が表示されるようにして、受信途中でも画像の内容を認識することができるようにした、ことを特徴とする。
【発明の効果】
【０００６】
よって、本発明にあっては、全体のデータ量は変わらずに、転送中においても画像全体を確認することができ、全てのデータ転送が完了しなくても受信した分のデータで撮像内容の認識ができる。
【発明を実施するための最良の形態】
【０００７】
以下、本発明のカメラ画像転送方法を実現する実施の形態を、請求項１，２，３に係る発明に対応する実施例１に基づいて説明する。
【実施例１】
【０００８】
まず、構成を説明する。
図１は実施例１のカメラ画像転送方法を実施するカメラ画像転送装置のブロック図である。
実施例１のカメラ画像転送装置１は、カメラ２、送信装置３、受信装置４を主要な構成としている。
カメラ２は、撮像を行い、撮像したデータを送信装置３へ出力する。
送信装置３は、画像処理部３１、メモリ部３２、送信部３３、アンテナ３４からなり、カメラ２で撮像した画像データを受信装置４へ送信する。
画像処理部３１は、カメラ２で撮像したデータを所定のデジタル画像データへ変換する処理を行う。実施例１では、１画素が４ビットの白黒画像に変換し、その画像データをメモリ部３２へ出力する。
メモリ部３２は、送信する画像データを一時的に保持する。
送信部３３は、メモリ部３２で保持する画像データを、アンテナ３４へ出力して、受信装置４への送信を行う。
【０００９】
受信装置４は、受信部４１、受信画像合成部４２、表示画像生成部４３、表示用メモリ部４４、表示部４５を主要な構成とし、受信した画像データの表示を行う。
受信部４１は、アンテナ４６により送信装置３からの受信を行う。
なお、送信部３３、アンテナ３４、受信部４１、アンテナ４６による通信は、低速無線通信とする。
受信画像合成部４２は、受信した画像を合成し、合成画像を作成する。
表示画像生成部４３は、合成画像から、表示画像を生成する。
表示用メモリ部４４は、受信した表示用の画像データを一時的に保持する。
表示部４５は、表示用メモリ部４４に保持した画像データに基づいて、表示を行う。
【００１０】
次に、実施例１のカメラ画像転送方法で転送する画像データについて説明する。
図２は実施例１のカメラ画像転送方法で転送する画像データの説明図である。
実施例１では、図２に示すように、１画素の画像情報をbit0〜bit3で表現する４ビットモノクロ画像を例に説明する。
【００１１】
次に、実施例１のカメラ画像転送方法で転送する画像データのレイヤー構造について説明する。
図３は実施例１のカメラ画像転送方法で転送する画像データのレイヤー構造を示す図である。図４は実施例１のカメラ画像転送方法で転送する画像データのレイヤー構造を示す図である。
実施例１では、横８０ドット×縦４８ドット（４８ライン）の画像を表示する。そして、３分割のインターレス画像方式を採用する。
そのため、８０×４８×４＝１５３６０ビットの画像データとなる。
実施例１では、この横８０ドット×縦４８ドット（４８ライン）の画像に対して、横１６ドット×縦１６ラインを１ブロックとし、第１ブロック〜第５ブロックを１／３インターレス画像データとし、第６ブロック〜第１０ブロックを２／３インターレス画像データとし、第１１ブロック〜第１５ブロックを３／３インターレス画像とする。
そして実施例１では、画素ごとの４ビットデータに対して、bit3のデータレイヤーＬ１、bit2のデータレイヤーＬ２、bit1のデータレイヤーＬ３、bit0のデータレイヤーＬ４を設定する（図４参照）。
【００１２】
次に、実施例１のカメラ画像転送方法で転送する画像データの送信元の画像フォーマット例を説明する。
図５は実施例１のカメラ画像転送方法で転送する画像データの送信元の画像フォーマット例を示す図である。
実施例１では、まず、bit3のレイヤーであって、第１ブロックは、１／３インターレス画像のデータとなる。さらに、１６ドット×１６ラインの第１ブロックには、横方向に１６ドット、縦方向に１６ライン（ドット）となるため、横方向１ライン目のデータには、２バイト（X0〜X15）を要することになる（図５(a),(b)参照）。
【００１３】
次に、２ライン目のデータ（Y1）へと続いて行くことになる（図５(c)参照）。
このようにデータは続いて行き、第１ブロック〜第５ブロックにより１／３インターレス画像のデータが終了すると、次の第６ブロックは、bit3のレイヤーで、２／３インターレス画像のデータとなる（図５(d)参照）。
そして、同様にデータが続き、第６ブロック〜第１０ブロックにより２／３インターレス画像のデータが終了すると、次の第１１ブロックは、bit3のレイヤーで、３／３インターレス画像のデータとなる（図５(e)参照）。
そして、bit3のレイヤー分が終了すると、次にbit2のレイヤーが続くことになる（図５(f)参照）。
実施例１では、このような送信元の画像フォーマット構造となる。
【００１４】
次に作用を説明する。
[受信途中でも内容の認識が可能な画像を表示する作用]
図６は実施例１のカメラ画像転送方法の受信画像の受信画像の合成処理及び表示画像の生成処理の説明図である。図７は実施例１のカメラ画像転送方法の表示画像の生成処理の引き伸ばし処理の説明図である。
なお、図６において、３ビット目、４ビット目の受信画像、合成画像については、図と符号を省略する。
【００１５】
（１ビット目、１／３インターレス）
実施例１において、送信装置３は低速無線通信により受信装置４へ、図３、図４で示した第１ブロックの１バイト目から順にデータを送信する。
これに対して、受信装置４で受信した画像データは、まず最初が１ビット目（bit3と１バイト表示のためbit7）の１／３インターレスのデータ、つまり、図３におけるbit3のレイヤーの第１ブロック〜第５ブロックになる（図６の受信画像５１参照）。
このデータに対して、表示画像生成部４３では、図７(a)に示す引き伸ばし処理ａを行う。この引き伸ばし処理ａでは、１ビット目（bit7,bit3）の１／３インターレスによりとびとびにデータの無い部分となる２列、３列、及び５列、６列・・・のデータを、１ビット目（bit7,bit3）をコピーして埋めるようにする（図７(a)の左側→右側参照）。
【００１６】
すると、生成画像７１を得ることができる。この画像では、詳細には、分からないが、おおよそどのような画像かを認識することができる。
図８に示すのは、画像データを順に送信し、受信した順に表示を行う例である。この例では、受信当初の状態では、画像２０１、あるいは画像２０２の状態であり、おおよそとしてもどのような画像かを認識することはできない。
このように、実施例１のカメラ画像転送方法では、受信開始当初から、粗い画像により内容の認識を行うことが可能となる。
【００１７】
（１ビット目、２／３インターレス）
次に、送信装置３から受信装置４へ、１ビット目（bit3と１バイト表示のためbit7）の２／３インターレスのデータ、つまり、図３におけるbit3のレイヤーの第６ブロック〜第１０ブロックが送受信される（図６の受信画像５２参照）。
このデータに対して、受信画像合成部４２では、インターレス１／３と２／３を合成し、合成画像６１を得る。
【００１８】
そして、表示画像生成部４３では、図７(b)に示す引き伸ばし処理ｂを行う。この引き伸ばし処理ｂでは、１ビット目（bit7,bit3）の２／３インターレスによりとびとびにデータの無い部分となる３列、及び６列・・・のデータを、１ビット目（bit7,bit3）の１列前のデータをコピーして埋めるようにする（図７(b)の左側→右側参照）。
すると、生成画像７２を得ることができる。この画像では、詳細は分からないが、生成画像７１より鮮明に、おおよそどのような画像かを認識することができる。
【００１９】
（１ビット目、３／３インターレス）
次に、送信装置から受信装置４へ、１ビット目（bit3と１バイト表示のためbit7）の３／３インターレスのデータ、つまり、図３におけるbit3のレイヤーの第１１ブロック〜第１５ブロックが送受信される（図６の受信画像５３参照）。
このデータに対して、受信画像合成部４２では、インターレス１／３と２／３、及び３／３を合成し、合成画像６２を得る。
【００２０】
この場合には、表示画像生成部４３では、引き伸ばし処理を行わず、合成画像６２を生成画像７３とする。この画像では、詳細は分からないが、生成画像７１，７２より鮮明に、おおよそどのような画像かを認識することができる。
【００２１】
(２ビット目、１／３インターレス)
次に、送信装置３から受信装置４へ、２ビット目（bit2と１バイト表示のためbit6）の１／３インターレスのデータ、つまり、図３におけるbit2のレイヤーの第１ブロック〜第５ブロックが送受信される（図６の受信画像５４参照）。
このデータに対して、受信画像合成部４２では、bit3の画像とbit2のインターレス１／３を合成し、合成画像６３を得る。
【００２２】
そして、表示画像生成部４３では、図７(c)に示す引き伸ばし処理ｃを行う。この引き伸ばし処理ｃでは、２ビット目（bit6,bit2）の１／３インターレスによりとびとびにデータの無い部分となる２列、３列、及び５列、６列・・・のデータを、２ビット目（bit7,bit3）の１列、４列・・・のデータと、１ビット目のデータとの論理和をコピーして埋めるようにする（図７(c)の左側→右側参照）。
すると、生成画像７４を得ることができる。この画像では、生成画像７１〜７３より鮮明に、おおよそどのような画像かを認識することができる。
【００２３】
(２ビット目、２／３インターレス)
次に、送信装置３から受信装置４へ、２ビット目（bit2と１バイト表示のためbit6）の２／３インターレスのデータ、つまり、図３におけるbit2のレイヤーの第６ブロック〜第１０ブロックが送受信される（図６の受信画像５５参照）。
このデータに対して、受信画像合成部４２では、bit3の画像とbit2のインターレス１／３、２／３を合成し、合成画像６４を得る。
【００２４】
そして、表示画像生成部４３では、図７(d)に示す引き伸ばし処理ｄを行う。この引き伸ばし処理ｄでは、２ビット目（bit6,bit2）の２／３インターレスによりとびとびにデータの無い部分となる３列、及び６列・・・のデータを、２ビット目（bit7,bit3）の２列、５列・・・のデータと、１ビット目のデータとの論理和をコピーして埋めるようにする（図７(d)の左側→右側参照）。
すると、生成画像７５を得ることができる。この画像では、生成画像７１〜７４より鮮明に、おおよそどのような画像かを認識することができる。
【００２５】
(２ビット目、３／３インターレス)
次に、送信装置３から受信装置４へ、２ビット目（bit2と１バイト表示のためbit6）の３／３インターレスのデータ、つまり、図３におけるbit2のレイヤーの第１１ブロック〜第１５ブロックが送受信される（図６の受信画像５６参照）。
このデータに対して、受信画像合成部４２では、bit3の画像とbit2のインターレス１／３、２／３、３／３を合成し、合成画像６５を得る。
そして、表示画像生成部４３では、合成画像６５を生成画像７６とする。
この画像では、生成画像７１〜７５より鮮明に、おおよそどのような画像かを認識することができる。
【００２６】
(３ビット目、１／３インターレス)
次に、送信装置３から受信装置４へ、３ビット目（bit1と１バイト表示のためbit5）の１／３インターレスのデータ、つまり、図３におけるbit1のレイヤーの第１ブロック〜第５ブロックが送受信される。
このデータに対して、受信画像合成部４２では、bit3,bit2（１ビット目、
ビット目）の画像とbit1のインターレス１／３を合成し、合成画像を得る。
【００２７】
そして、表示画像生成部４３では、図７(e)に示す引き伸ばし処理ｅを行う。この引き伸ばし処理ｅでは、３ビット目（bit5,bit1）の１／３インターレスによりとびとびにデータの無い部分となる２列、３列、及び５列、６列・・・のデータを、３ビット目（bit7,bit3）の１列、４列・・・のデータと、１ビット目、２ビット目のデータとの論理和をコピーして埋めるようにする（図７(e)の左側→右側参照）。
すると、生成画像７８を得ることができる。この画像では、生成画像７１〜７７より鮮明に、おおよそどのような画像かを認識することができる。
このあたりの生成画像に達すると、充分に画像の内容を認識が可能と言ってよいと考える。
図８に示す画像データを順に送信し、受信した順に表示を行う例では、同等の時間経過に対し、画像２０７程度の状態であり、画像の半分が認識でき、残り半分は全く分からない状態である。
実施例１のカメラ画像転送方法では、受信途中の状態まで達すれば、ほとんど、充分に画像により内容の認識を行うことが可能となる。
【００２８】
(３ビット目、２／３インターレス)
次に、送信装置３から受信装置４へ、３ビット目（bit1と１バイト表示のためbit5）の２／３インターレスのデータ、つまり、図３におけるbit1のレイヤーの第６ブロック〜第１０ブロックが送受信される。
このデータに対して、受信画像合成部４２では、bit3,bit2（１ビット目、
ビット目）の画像とbit1のインターレス１／３、２／３を合成し、合成画像を得る。
【００２９】
そして、表示画像生成部４３では、図７(f)に示す引き伸ばし処理ｆを行う。この引き伸ばし処理ｆでは、３ビット目（bit5,bit1）の２／３インターレスによりとびとびにデータの無い部分となる３列及び６列・・・のデータを、３ビット目（bit5,bit1）の２列、５列・・・のデータと、１ビット目、２ビット目のデータとの論理和をコピーして埋めるようにする（図７(f)の左側→右側参照）。
すると、生成画像７９を得ることができる。この画像では、生成画像７１〜７８より鮮明に、おおよそどのような画像かを認識することができる。
このあたりの生成画像に達すると、充分に画像の内容を認識が可能と言ってよいと考える。
図８に示す画像データを順に送信し、受信した順に表示を行う例では、同等の時間経過に対し、画像２０８程度の状態であり、画像の半分弱が認識でき、残り半分近くは全く分からない状態である。
実施例１のカメラ画像転送方法では、受信途中の状態まで達すれば、ほとんど、充分に画像により内容の認識を行うことが可能となる。
【００３０】
（３ビット目、３／３インターレス）
次に、送信装置３から受信装置４へ、３ビット目（bit1と１バイト表示のためbit5）の３／３インターレスのデータ、つまり、図３におけるbit1のレイヤーの第１１ブロック〜第１５ブロックが送受信される。
このデータに対して、受信画像合成部４２では、bit3,bit2（１ビット目、
ビット目）の画像とbit1のインターレス１／３、２／３、３／３を合成し、合成画像を得る。
【００３１】
そして、表示画像生成部４３では、この合成画像を生成画像７９とする。
この画像あたりから、ほぼ最終的な画像に近似した画像となり、充分に画像の内容を認識が可能と言ってよいと考える。
図８に示す画像データを順に送信し、受信した順に表示を行う例では、同等の時間経過に対し、画像２０９程度の状態であり、画像の半分強が認識でき、まだ全く分からない状態が強く残る状態である。
実施例１のカメラ画像転送方法では、受信中間を過ぎた状態まで達すれば、ほとんど最終画像に近似した画像を得ることができ、充分に画像により内容の認識を行うことが可能となる。
【００３２】
（４ビット目、１／３インターレス）
次に、送信装置３から受信装置４へ、４ビット目（bit0と１バイト表示のためbit4）の１／３インターレスのデータ、つまり、図３におけるbit0のレイヤーの第１ブロック〜第５ブロックが送受信される。
このデータに対して、受信画像合成部４２では、bit3,bit2,bit1（１ビット目、２ビット目、３ビット目）の画像とbit0のインターレス１／３を合成し、合成画像を得る。
【００３３】
そして、表示画像生成部４３では、４ビット目（bit4,bit0）の１／３インターレスによりとびとびにデータの無い部分となる２列、３列、及び５列、６列・・・のデータを、４ビット目（bit4,bit0）の１列、４列・・・のデータと、１ビット目、２ビット目、３ビット目のデータとの論理和をコピーして埋めるようにする。
すると、生成画像８０を得ることができる。この画像では、生成画像７１〜７９より鮮明に、どのような画像かを認識することができる。
このあたりの生成画像に達すると、充分に画像の内容を認識が可能となる。
図８に示す画像データを順に送信し、受信した順に表示を行う例では、同等の時間経過に対し、画像２１０程度の状態であり、画像の下部に認識できない部分が残る状態である。
実施例１のカメラ画像転送方法では、受信終了が近い状態まで達すれば、ほとんど、最終状態に近い画像により内容の認識を行うことが可能となる。
【００３４】
（４ビット目、２／３インターレス）
次に、送信装置３から受信装置４へ、４ビット目（bit0と１バイト表示のためbit4）の２／３インターレスのデータ、つまり、図３におけるbit0のレイヤーの第６ブロック〜第１０ブロックが送受信される。
このデータに対して、受信画像合成部４２では、bit3,bit2,bit1（１ビット目、２ビット目、３ビット目）の画像とbit0のインターレス１／３、２／３を合成し、合成画像を得る。
【００３５】
そして、表示画像生成部４３では、４ビット目（bit4,bit0）の２／３インターレスによりとびとびにデータの無い部分となる３列及び６列・・・のデータを、４ビット目（bit4,bit0）の２列、５列・・・のデータと、１ビット目、２ビット目、３ビット目のデータとの論理和をコピーして埋めるようにする。
すると、生成画像８１を得ることができる。この画像では、生成画像７１〜８０より鮮明に、どのような画像かを認識することができる。
このあたりの生成画像に達すると、充分に画像の内容を認識が可能となる。
図８に示す画像データを順に送信し、受信した順に表示を行う例では、同等の時間経過に対し、画像２１１程度の状態であり、画像の下部に認識できない部分がやや残る状態である。
実施例１のカメラ画像転送方法では、受信終了が近い状態まで達すれば、ほとんど、最終状態に近い画像により内容の認識を行うことが可能となる。
【００３６】
（４ビット目、３／３インターレス）
次に、送信装置３から受信装置４へ、４ビット目（bit0と１バイト表示のためbit4）の３／３インターレスのデータ、つまり、図３におけるbit0のレイヤーの第１１ブロック〜第１５ブロックが送受信される。
このデータに対して、受信画像合成部４２では、bit3,bit2,bit1（１ビット目、２ビット目、３ビット目）の画像とbit0のインターレス１／３、２／３、３／３を合成し、合成画像を得る。
そして、表示画像生成部４３では、この合成画像を最終的な生成画像８２とする。
この画像は最終画像である。当然に画像内容の認識ができる。
図８に示す画像データを順に送信し、受信した順に表示を行う例でも、同等の時間経過に対し、最終的な画像を得ることができる。
【００３７】
このように実施例１のカメラ画像転送方法では、送受信する画像データの１画素の画素情報のビット数、つまりbitn〜bit0に合わせてレイヤー階層構造となる画像データを送受信するようにし、さらに、その画像データのレイヤーが３分割のインターレス方式となるようにし、インターレスによるデータのない部分を複写したデータにする。
１画素を実施例１のように４ビットの解像度データにした際に、bit3〜bit0のうち、bit3のデータは、粗い部分を、bit0のデータは細かいデータを示すことになる。そのため、実施例１では、bit3だけのデータを補完しつつ全体画像分処理して表示することで、粗くてもある程度認識可能な画像を表示することができるのである。
これにより、低速な電波通信により画像の送受信が途中の状態であっても、表示部４５に、粗い全体画像が徐々に最終的な精細な画像へ変化していくようにして、送受信当初から画像全体を見せることができる。また、その内容を見た物が早期に画像の内容を把握することができる。
【００３８】
次に、効果を説明する。
実施例１のカメラ画像転送方法にあっては、下記に列挙する効果を得ることができる。
【００３９】
(1)カメラ２で撮像した画像を画像データとして送信し、受信した画像データを順次表示させて行くカメラ画像転送方法において、送信する画像データは、画素の解像ビットの桁毎にレイヤー構造Ｌ１〜Ｌ４を有するようにし、送信装置３は、各画素の最上位ビットで構成されたレイヤー構造Ｌ１〜Ｌ４の画像データから順に下位のレイヤー構造の画像データを送信部３３に送信するようにし、受信装置４は、受信部４１で受信した画像データを順次表示させることで、粗い画像から徐々に精細な画像が表示されるようにして、受信途中でも画像の内容を認識することができるようにしたため、全体のデータ量は変わらずに、転送中においても画像全体を確認することができ、全てのデータ転送が完了しなくても受信した分のデータで撮像内容の認識ができる。
【００４０】
(2)送信する画像データのレイヤー構造Ｌ１〜Ｌ４は、画像を複数分割の繰り返し構造となるインターレス方式にし、受信部４１が受信していない画像ビットデータ部分を既に受信した画像ビットデータ部分のコピーで埋めるようにして表示画像生成部４３が生成した全体画像を常に表示するため、上位ビットのみの粗い画像を、さらに、途中の未受信データをコピーで埋めて、粗い全体画像を構成し、これを送受信当初から表示して、全体のデータ量は変わらずに、転送中においても画像全体を確認することができ、全てのデータ転送が完了しなくても受信した分のデータで撮像内容の認識ができる。
【００４１】
(3)受信部４１が既に受信した桁の画像ビットデータ部分を、同じ桁の受信していない画像ビットデータ部分にコピーし、受信部４１が既に受信した桁の画像ビットデータ部分を、同じ桁の受信していない画像ビットデータ部分にコピーする際に、上位ビットのデータがある場合は、上位ビットのデータとの論理和演算結果で、埋めるようにして表示画像生成部４３が生成した全体画像を常に表示するため、既に受信した解像度の画像データを生かしつつ、途中の未受信データをコピーで埋めて、より精細な全体画像を構成し、転送中においても画像全体を確認することができ、全てのデータ転送が完了しなくても受信した分のデータで撮像内容の認識ができる。
【００４２】
実施例１のカメラ画像転送方法は、例えば、防犯や監視、状態確認のためにカメラを設置し撮像した画像を、携帯電話器のように離れた場所で、しかも低速無線通信により、画像データを転送して画像を見る場合に有利である。
低速無線通信により画像データを全て送るのに時間を要する場合、全ての画像データが送信されてから、画像を見て異常に気づくのでは、使用者が非常に遅いと感じることになる。これに対して実施例１のカメラ画像転送方法では、転送途中でもその受信状態における全体画像が表示されるため、全ての画像データが転送される前に、画像内容に対しての判断、例えば異常に気づくなどを行うことができる。
【００４３】
以上、本発明のカメラ画像転送方法を実施例１に基づき説明してきたが、具体的な構成については、これらの実施例に限られるものではなく、特許請求の範囲の各請求項に係る発明の要旨を逸脱しない限り、設計の変更や追加等は許容される。
【図面の簡単な説明】
【００４４】
【図１】実施例１のカメラ画像転送方法を実施するカメラ画像転送装置のブロック図である。
【図２】実施例１のカメラ画像転送方法で転送する画像データの説明図である。
【図３】実施例１のカメラ画像転送方法で転送する画像データのレイヤー構造を示す図である。
【図４】実施例１のカメラ画像転送方法で転送する画像データのレイヤー構造を示す図である。
【図５】実施例１のカメラ画像転送方法で転送する画像データの送信元の画像フォーマット例を示す図である。
【図６】実施例１のカメラ画像転送方法の受信画像の受信画像の合成処理及び表示画像の生成処理の説明図である。
【図７】実施例１のカメラ画像転送方法の表示画像の生成処理の引き伸ばし処理の説明図である。
【図８】画像データを順に送信し、受信した順に表示を行う例の画像表示例を示す説明図である。
【図９】実施例１のカメラ画像転送方法の画像表示例を示す説明図である。
【符号の説明】
【００４５】
１  カメラ画像転送装置
２  カメラ
３  送信装置
３１  画像処理部
３２  メモリ部
３３  送信部
３４  アンテナ
４  受信装置
４１  受信部
４２  受信画像合成部
４３  表示画像生成部
４４  表示用メモリ部
４５  表示部
４６  アンテナ
５１〜５６  受信画像
６１〜６５  合成画像
７１〜８２  生成画像
２０１〜２１２  画像
Ｌ１〜Ｌ４  データレイヤー
【図１】
2008258824.tif 000003
【図２】
2008258824.tif 000004
【図３】
2008258824.tif 000005
【図４】
2008258824.tif 000006
【図５】
2008258824.tif 000007
【図７】
2008258824.tif 000008
【図６】
2008258824.tif 000009
【図８】
2008258824.tif 000010
【図９】
2008258824.tif 000011